(57)【要約】【課題】移動中に、集音用の開口部で風切り音が発生するのを防止し、高品質な集音機能を有するカメラ装置を実現する。【解決手段】カメラ装置１の筐体２の上面に、筐体２の内側に向かう段差部５ａが設けられている。段差部５ａは、カメラ装置１が装着された移動体の移動方向に交わる方向に配置された縦壁部５ｂを有しており、縦壁部５ｂには、移動方向の後方に向かって開口している集音用の開口部５ｃを有している。【選択図】図６
2018026666.tif 000002
【特許請求の範囲】
【請求項１】
移動体に装着するカメラ装置であって、
前記カメラ装置は、集音用の開口部を有する筐体と、
前記筐体の内部に設置されるマイクと、を備え、
前記筐体は、前記移動体の移動方向に略平行な面の少なくとも一つに、前記筐体の内側に向かう段差部を有しており、
前記移動方向に交わるように配置された、前記段差部の縦壁に、前記開口部が設けられており、
前記開口部は、前記移動方向における後方に向けて開口している、カメラ装置。
【請求項２】
移動体に装着するカメラ装置であって、
前記カメラ装置は、集音用の第１の開口部を有する筐体と、
前記筐体の内部に設置されるマイクと、
前記筐体の前記マイクが配置される面を覆うカバー部材と、を備え、
前記カバー部材は、前記移動体の移動方向に略平行な面の少なくとも一つに、前記筐体の内側に向かう段差部を有しており、
前記移動方向に交わるように配置された、前記段差部の縦壁に、第２の開口部が設けられており、
前記第２の開口部は、前記移動方向における後方に向けて開口している、カメラ装置。
【請求項３】
前記カメラ装置は、複数の前記マイクと、複数の前記マイクに対応する複数の前記開口部または前記第２の開口部を有し、
複数の前記開口部または前記第２の開口部は、前記縦壁の、前記移動方向と交わる方向に対して離間してそれぞれ設けられている、請求項１または２に記載のカメラ装置。
【請求項４】
前記カメラ装置は、複数の前記マイクの間にスピーカーを有し、
前記スピーカーに対応する別の開口部を、複数の前記開口部または前記第２の開口部の間に有する、請求項３に記載のカメラ装置。
【請求項５】
前記段差部は、前記縦壁の底部から前記移動方向に略平行な面に向かって延びるように設けられた傾斜面を有する、請求項１ないし４のいずれかに記載のカメラ装置。
【発明の詳細な説明】
【技術分野】
【０００１】
本開示は、自転車等の移動体に装着されるカメラ装置に関するものである。
【背景技術】
【０００２】
近年、サイクルレコーダ等のアクションカメラ装置が市場に出回り始めている。これらのアクションカメラ装置を使用する際、動画撮影中に録音を行うことがあり、マイクを内蔵したアクションカメラ装置の需要が高まってきている。
【０００３】
一方、カメラ装置の筐体内にマイクを配置した場合、単に筐体に開口を設けて集音すると、開口から気流が入り込み、風切り音となってノイズになるおそれがある。
【０００４】
そこで、開口部への気流の進入を防止するため、特許文献１に開示されるように、グラスウール等の風切り音防止部材を設けることや、特許文献２に開示されるように、突出した仕切り部材等を設けることが、提案されている。
【先行技術文献】
【特許文献】
【０００５】
【特許文献１】特開２０１２−１４７１３７号公報
【特許文献２】特開２０１５−１３００５５号公報
【発明の概要】
【発明が解決しようとする課題】
【０００６】
しかし、サイクルレコーダ等のアクションカメラ装置は、野外で長時間、外気や雨風に曝された状態で使用される。特許文献１に開示されるように、グラスウールを風切り音防止部材として使用すると、長時間、外気に曝されることにより、グラスウールが飛散又は劣化して、機能を果たさなくなる可能性があった。
【０００７】
また、特許文献２に開示されるように、筐体から突出した仕切り部材を設けた場合は、突起状の仕切り部材に人が触れたりすると、安全性に問題があった。
【０００８】
本開示はかかる点に鑑みてなされたもので、その目的は、簡便且つ安全な構成で、風切り音の発生を防止し、高品質の集音機能を有するマイクを備えたカメラ装置を提供することにある。
【課題を解決するための手段】
【０００９】
上記の目的を達成するために、ここに開示する技術では、マイクの集音用の開口部を、カメラ装置の筐体に設けた段差部の縦壁に設け、かつ開口部が移動体の移動方向に対して後方を向くように配置した。
【００１０】
具体的には、ここに開示するカメラ装置は、移動体に装着するカメラ装置であって、カメラ装置は、集音用の開口部を有する筐体と、前記筐体の内部に設置されるマイクと、を備え、筐体は、移動体の移動方向に略平行な面の少なくとも一つに、筐体の内側に向かう段差部を有し、移動方向に交わるように配置された、段差部の縦壁に、開口部が設けられており、開口部は、移動方向における後方に向けて開口していることを特徴とする。
【００１１】
この構成によれば、筐体の段差部の縦壁を有効利用して、集音用の開口部に直接、気流が入り込むのを防止できるため、長時間の外気での使用に対しても、風切り音の集音防止機能を安定して維持することができる。また、突起等を設けることもないため、カメラ装置を操作する際や取り外す際の安全性も確保できる。
【００１２】
また、ここに開示する別のカメラ装置は、移動体に装着するカメラ装置であって、カメラ装置は、集音用の第１の開口部を有する筐体と、筐体の内部に設置されるマイクと、筐体のマイクが配置される面を覆うカバー部材と、を備え、カバー部材は、移動体の移動方向に略平行な面の少なくとも一つに、筐体の内側に向かう段差部を有しており、移動方向に交わるように配置された、段差部の縦壁に、第２の開口部が設けられており、第２の開口部は、移動方向における後方に向けて開口していることを特徴とする。
【００１３】
カメラ装置は、複数のマイクと、複数のマイクに対応する複数の開口部または第２の開口部を有し、複数の開口部または第２の開口部は、縦壁の、移動方向と交わる方向に離間してそれぞれ設けられているのが好ましい。
【００１４】
この構成によれば、開口部を左右に離間して設けることで、集音をステレオで行うことができ、仮に一方で風切り音が発生しても、他方のマイクがその音を拾うことを回避できる。
【００１５】
カメラ装置は、複数のマイクの間にスピーカーを有し、スピーカーに対応する別の開口部を、複数の開口部または第２の開口部の間に有するのが好ましい。
【００１６】
この構成によれば、スピーカー開口部を左右のマイク開口部の間に設けることで音声入出力部を小型化できる。
【００１７】
段差部は、縦壁の底部から移動方向に延びる面に向かって延びるように設けられた傾斜面を有するのが好ましい。
【００１８】
この構成によれば、傾斜面を設けることにより、移動中に発生する気流は、傾斜面に沿って流れやすくなる。このことにより、縦壁に設けた開口部に気流が流れ込みにくくなり、風切り音を集音するのを確実に防止できる。
【発明の効果】
【００１９】
以上、説明したように、本開示によると、マイクが風切り音を拾うのを防止し、高品質な集音性能を有するカメラ装置を実現できる。
【図面の簡単な説明】
【００２０】
【図１】カメラ装置の概要を示す斜視図である。
【図２】カメラ装置の筐体部分の分解構造図である。
【図３】マイク及びスピーカーが取り付けられた電池収納ボックスの概要を示す、斜め上前方から見た斜視図である。
【図４】図３の電池収納ボックスを斜め下前方から見た斜視図である。
【図５】図３の電池収納ボックスを斜め下後方から見た図である。
【図６】図１のＶＩ−ＶＩ線での断面図である。
【図７】デックカバーを斜め上後方から見た斜視図である。
【図８】段差部の底部に開口を設けたときの、段差部近傍での気流の流れを示す断面模式図である。
【図９】実施形態に係る、段差部の縦壁に開口を設けたときの、段差部近傍での気流の流れを示す断面模式図である。
【図１０】実施形態に係る、段差部の底部を傾斜面としたときの、段差部近傍での気流の流れを示す断面模式図である。
【発明を実施するための形態】
【００２１】
以下、本実施形態を図面に基づいて詳細に説明する。以下の好ましい実施形態の説明は、本質的に例示に過ぎない。
【００２２】
なお、本説明において、特に断らない限り、「前」、「後」は、カメラ装置の撮像レンズが配置された側と、その反対側を、「上」、「下」は、筐体の、集音用の開口部が設けられた側と、その反対側をいう。また、「左右」は、前後方向で「前」を基準とした左右をいう。
【００２３】
（カメラ装置の構造）
図１は、本実施形態に係る、カメラ装置の概要を示す斜視図であり、図２は、カメラ装置の筐体部分の分解構造図である。
【００２４】
図３は、本実施形態に係る、マイク及びスピーカーが取り付けられた電池収納ボックスの概要を示す、斜め上前方から見た斜視図であり、図４は、斜め下前方から見た斜視図、図５は、斜め下後方から見た図である。図６は、図１のＶＩ−ＶＩ線での断面図である。図面見直しに伴い修正しました。
【００２５】
図７は、デックカバーを斜め上後方から見た斜視図である。
【００２６】
なお、図１、図２において、筐体の細部構造や撮像ユニット等は図示を省略している。
また、図７において、デックカバー５の段差部５ａの周辺部分以外は図示を省略している。
【００２７】
なお、本実施形態に係るカメラ装置１は、撮像レンズ６が移動方向を向くように、移動体、例えば、自転車やバイク等の走行体やドローン等の飛行体等に取り付けられる。
【００２８】
カメラ装置１は、前面に、撮像レンズ６と、上面に、操作ボタン７を備えている。操作ボタン８により、電源のオンオフや、録画の開始、終了を決定している。液晶モニター９には、録画中であることや電池の充電状態等の情報が表示される。
【００２９】
カメラ装置の筐体２は、上部筐体３と、下部筐体４と、デックカバー５と、を有している。上部筐体３と下部筐体４とは、互いにねじ止めされて締結されている。さらに、上部筐体３の上にデックカバー５が取り付けられており、デックカバー５は上部筐体３に嵌め込まれている。筐体２の後面には、電池やＳＤカード等の記録媒体を出し入れするときに、開閉するための蓋部１０が設けられている。
【００３０】
筐体２の内部には、撮像ユニット（図示せず）と、制御基板１４（図４参照）と、電池収納ボックス３０とが収納されている。
【００３１】
撮像ユニットは、イメージセンサ（図示せず）と放熱部１２（図６参照）とを有し、筐体２の内部で、撮像レンズ６と対向するように設けられている。撮像レンズ６に入射した光がイメージセンサの撮像面に集光され、光信号が電気信号に変換される。
【００３２】
カメラ装置１は、アンテナ部（図示せず）と、無線ＬＡＮ通信回路を配設した通信基板１９とを有しており、アンテナ部は上部筐体３に、通信基板１９は、電池収納ボックス３０の上面にそれぞれ取り付けられている。
【００３３】
アンテナ部及び通信基板１９は、ＧＰＳ（Ｇｌｏｂａｌ  Ｐｏｓｉｔｉｏｎｉｎｇ  Ｓｙｓｔｅｍ：全地球方測位システム）信号や無線ＬＡＮからの信号を受信し、位置情報を得るために設けられている。
【００３４】
アンテナ部で受信されたＧＰＳ信号及び無線ＬＡＮからの信号は、通信基板１９で信号処理された後、フレキ配線３９を通じて、制御基板１４（図４参照）上のメモリ素子や記録媒体に記録される。記録された位置情報は、例えば、撮影した動画の画像情報に移動中の位置情報や地図情報を付与したりするのに用いられる。
【００３５】
電池収納ボックス３０は、内部にアルカリ電池やリチウムイオン電池等の電池３４を収納し、カメラ装置１の各電子部品に電池から電力が供給される。
【００３６】
本実施形態のカメラ装置によれば、移動中に撮影した動画に、位置情報や、録音による音声または音情報を付加することができ、運転者の記憶に鮮明に残りやすく、また、移動情報をトレースしやすい動画を得ることができる。
【００３７】
（マーク及びスピーカーの取り付け構造）
図３、図４及び図５に示すように、電池収納ボックス３０は略直方体形状で、電池収納ボックス３０の後面は開口部３０ａを有しており、筐体２の蓋部１０を開けたときに、開口部３０ａを通して電池収容ボックス３０内に電池３４（図２参照）が収容される。電池３４の外部端子（図示せず）は、電池収容ボックス３０の前面の内側に設けられた電池端子部３５と接続している。電池端子部３５は、電池収容ボックス３０の前面外側に延設された端子から、配線（図示せず）を通して、制御基板１４等に電力を供給している。
【００３８】
制御基板１４は、電池収納ボックス３０の下面に取り付けられており、制御基板１４の上面及び下面には、イメージセンサからの電気信号の処理を行うＬＳＩやシンクロナスＤＲＡＭ等の多数の電子部品１５や電子回路が配設されている。また、制御基板１４には、ＳＤカード等のメモリーカードを収容する記憶媒体収容部１６や、ＵＳＢ等の規格に応じた信号を外部とやり取りするための接続端子口１７が設置されている。
【００３９】
また、電池収容ボックス３０の上面には、通信基板１９を配設するための基板配設部３０ｂと、マイク取り付け部３０ｃと、スピーカー取り付け部３０ｄと、が設けられており、電池収容ボックス３０と、基板配設部３０ｂと、マイク取り付け部３０ｃと、スピーカー取り付け部３０ｄとは、樹脂で一体的に成形されて、構成されている。
【００４０】
図３から図６に示すように、電池収容ボックス３０は、その上面を覆うように載置された金属板材３１と締結されている。具体的には、電池収容ボックス３０に設けられた位置決めボス３０ｇが、金属板材３１に設けられた位置決め穴３１ａに挿入された状態で、複数箇所でねじ止めされて締結される。
【００４１】
金属板材３１の側方延設部３１ｂは、本体部３１の下面近傍に至るまで、本体部３１の右側面、左側面にそれぞれ延設されている。
【００４２】
図４に示すように、電池収容ボックス３０の左側面には、マイク３２やスピーカー３３と、電池収納ボックス３０の下面にある制御基板１４と、を接続する配線３７、３８を固定する複数の配線固定部３０ｆが設けられている。個々の配線固定部３０ｆは、一部が切り欠かれた略円環形状であり、配線３７、３８は、個々の配線固定部３０ｆに挟み込まれて、たるみや余分な張力が発生しないよう、本体部３０の左側面に固定される。
【００４３】
なお、配線固定部３０ｆも、電池収容ボックス３０と樹脂で一体的に成形されている。
【００４４】
（音声入出力用開口部の構造）
マイク３２は、例えば、移動中に運転者が発する音声や、周囲の環境からの音を集音し、音声または音によりマイクで発生する振動を電気信号に変換する。変換された電気信号は、多くの場合は、制御基板１４に配設された電子部品１５等により信号処理され、メモリ素子やあるいは、記録媒体収容部１６に収容された記録媒体に記録される。
【００４５】
スピーカー３３は、例えば、電池残量が少なくなったとき、あるいは目的地に到達した旨のシグナル音等を出力する。
【００４６】
図３から図５に示すように、マイク取り付け部３０ｃは、スピーカー取り付け部３０ｄの左右に一つずつ配設されており、上部に開口を有し、側面の一部が切り欠かれた略円筒形状である。上から見たときのマイク取り付け部３０ｃは略Ｃ字形状をしている。マイク３２は、マイク取り付け部３０ｃに円環状のゴム３６を介して挿入され、固定されている。
【００４７】
スピーカー取り付け部３０ｄは、上から見たときの形状が２つの円弧に挟まれた形状になっており、この円弧の間にスピーカー３３が装着される。スピーカー３３は、スピーカー取り付け部３０ｄの上面に両面テープ等の接着剤を介して取り付けられている。また、後述するシリコーンシートが、金属でできたスピーカー３３の周辺部と擦れて破れたりするのを防止するために、スピーカー３３の上面に布（図示せず）が貼り付けられている。
【００４８】
また、図４、図６に示すように、マイク取り付け部３０ｃとスピーカー取り付け部３０ｄとは、一体となって、電池収容ボックス３０の前面よりも前方に突き出して設けられており、マイク取り付け部３０ｃとスピーカー取り付け部３０ｄの底部には、本体部３０の前面に沿って下方に延びる補強用のリブ３１ｅをそれぞれ有している。
【００４９】
マイク３２の上面とスピーカー３３の上面とはほぼ面一となるように配置されている。
【００５０】
マイク取り付け部３０ｃ及びスピーカー取り付け部３０ｄを一体化することにより、全体としてこれらの強度を向上できる。また、補強用のリブ３１ｅにより、さらに上からの外力に対しての強度が向上する。よって、マイク３２やスピーカー３３の組み付け時の破損を防止できる。
【００５１】
また、マイク取り付け部３０ｃとスピーカー取り付け部３０ｄとは、本体部３０の上面よりも上方に突き出して配設されている。
【００５２】
図２に示すように、上部筐体３の上面には、筐体２の内側に向かう凹部３ａが設けられており、凹部３ａの底部３ｂには、開口部３ｃ、３ｄがそれぞれ設けられている。
【００５３】
開口部３ｃは、開口部３ｄを挟んで、左右方向に１つずつ設けられている。開口部３ｄは、複数の開口部３ｃの間に、左右方向に離間して２つ設けられている。
【００５４】
なお、開口部３ｄの数は２以上であってもよい。
【００５５】
なお、図２に示した凹部３ａは、防水用のシート（図示せず）で覆われており、外部からカメラ装置１内に雨水等の水分が進入するのを防止している。防水用シートは、例えば、シリコーン等でできている。なお、開口部３ｄを左右方向に離間して複数設けることにより、複数の開口部３ｄの間に上部筐体３の一部を残存させることができる。シートが雨水等の進入により下方に垂れ下がると、シートが破れたりするおそれがある。残存した上部筐体３の一部にシートが突き当たることで、シートのたわみ量を低減し、シートの破れ等を抑制できる。
【００５６】
また、図６、図７に示すように、デックカバー５の上面には、筐体２の内側に向かう段差部５ａが設けられており、段差部５ａの縦壁５ｂには、開口部５ｃ、５ｄがそれぞれ設けられている。
【００５７】
開口部５ｃは、開口部５ｄを挟んで、左右方向に１つずつ設けられている。
【００５８】
開口部３ｃ、５ｃはマイク３２の集音用の開口部であり、開口部３ｄ、５ｄはスピーカー３３からの出力用の開口部である。
【００５９】
また、図６に示すように、マイク取り付け部３０ｃに取り付けられたマイク３２は、集音用の開口部３ｃ、５ｃと近接した位置に配置されている。同様に、スピーカー取り付け部３０ｄに取り付けられたスピーカー３３は、出力用の開口部３ｄ、５ｄと近接した位置に配置されている。
【００６０】
ここで、段差部５ａの構造についてさらに説明する。
【００６１】
図８は、段差部の底部に開口を設けたときの、段差部近傍での気流の流れを示す断面模式図である。図９は、本実施形態に係る、段差部の縦壁に開口を設けたときの、段差部近傍での気流の流れを示す断面模式図である。図１０は、本実施形態に係る、段差部の底部を傾斜面としたときの、段差部近傍での気流の流れを示す断面模式図である。
【００６２】
図９、図１０に示すように、縦壁５ｂは、前後方向に対して略直交するように、段差部５ａの前面側に設けられており、開口部５ｃ、５ｄは後方を向いて開口している。
【００６３】
また、図６、図７及び図１０に示すように、段差部５ａの底部は、縦壁５ｂの底部からデックカバー５の上面に向かって延びるように設けられた傾斜面となっている。
【００６４】
なお、左右方向から見て、傾斜面は直線状の平坦面となっている。
【００６５】
なお、図９に示すように、段差部５ａの底部は、縦壁５ｂに略直交していてもよい。
【００６６】
（本実施形態における作用効果）
次に、本実施形態における作用効果について、図８から図１０を用いて説明する。
【００６７】
本実施形態において、カメラ装置１の前方に向かって移動体が移動しているため、カメラ装置１に対して、移動中の気流は、前方から後方に向かって流れる。よって、縦壁５ｂは、移動方向に対して略直交して配置されていることになる。
【００６８】
このとき、移動中の気流は、デックカバー５の上面に沿って流れる一方、段差部５ａにおいて、一部の気流は段差部５ａの底部に向かって流れる。
【００６９】
図８に示すように、段差部５ａの底部に開口部５ｃが設けられていると、底部に向かって流れる気流が、開口部５ｃに流れ込む。このときに、開口部５ｃ近傍で風切り音が発生し、マイク３２がこれを拾うと、ノイズとなるため、マイク３２の集音品質が低下する。
【００７０】
一方、図９に示すように、段差部５ａの縦壁５ｂに開口部５ｃが設けられていると、段差部５ａの底部に向かって流れる気流は、縦壁５ｂに直接は当たらない。
【００７１】
また、移動方向（前後方向）に流れる気流の影響で、縦壁５ｂ近傍はデックカバー上方の雰囲気に対して負圧となる。以上のことから、気流が開口部５ｃに流れ込むのを抑制できる。よって、風切り音の発生が防止でき、マイク３２の集音品質が向上する。
【００７２】
なお、図８、図９に示す構造において、縦壁５ｂの高さＨと、底部の長さＬとの関係によっては、例えば、後方側あるいは左右の縦壁に気流が衝突する等して、段差部５ａの中で、乱流が発生し、これが開口部５ｃに流れ込むおそれもある。
【００７３】
そこで、図１０に示すように、段差部５ａの縦壁５ｂに開口部５ｃを設けるとともに、段差部５ａの底部を上方に向かう傾斜面とすると、後方側の縦壁を無くすことができ、ここでの気流の衝突は起こらない。また、左右の縦壁の面積も減り、これらでの気流の衝突頻度が減少する。さらに、移動中の気流が、傾斜面に沿って上方に流れるようになるため、開口部５ｃへの気流の流れ込み及びそれに起因する風切り音の発生をより確実に防止できる。
【００７４】
以上、説明したように、本実施形態によれば、マイク３２の集音用の開口部５ｃを、筐体２の内側に向かう段差部５ａの縦壁のうち、移動方向と交わる方向で、かつ、移動体が移動する側（前方側）に配置された縦壁５ｂに設けることで、移動中の気流が開口部５ｃに流れ込むことを防止できる。このことにより、開口部近傍での風切り音の発生を抑制し、ノイズの少ない高品質の音をマイク３２で集音できる。
【００７５】
マイク３２での集音品質が向上することで、移動中に撮影した動画を後で再生して鑑賞するときに、心地よく動画を鑑賞できる。また、撮影中に録音した音声以外の音情報もノイズの少ない高品質な状態で保存できる。
【００７６】
また、集音用の開口部５ｃをデックカバー５の上面から内側に向かう段差部５ａ内に設けたことで、気流の仕切り部材等が筐体の外部に突出することもなくなり、人が集音部５ｃの近傍に触れたとしても、安全である。
【００７７】
また、スピーカー３３の出力用の開口部５を挟んで、集音用の開口部５ｃを、左右方向に離間して設けることにより、ステレオ集音が可能となるとともに、一方の開口部から風切り音を拾ったとしても、他方の開口部からその音を拾うのを回避できる。このことにより、集音品質の低下が防止できる。
【００７８】
また、スピーカー３３とマイク３２とを近接して配置でき、音声入出力部の小型化が図れる。
【００７９】
なお、本実施形態において、縦壁５ｂを移動方向（前後方向）と略直交するように設けたが、縦壁５ｂは、移動方向に対して斜めに交わる位置に設けられていてもよく、移動中の気流が開口部５ｃに直接流れ込む位置を避けて設けられていればよい。
【００８０】
また、本実施形態において、段差部５ａの底部の傾斜面は、左右方向から見て、直線状に延びる平坦面としたが、左右方向から見て、上方に向かって凸形状の曲面であってもよい。後者の曲面形状にすると、上からの外力に対して強度が増す。
【００８１】
なお、本実施形態において、音声入出力用の開口部を筐体２の上面に設けたが、筐体２の右側面か左側面、あるいは下面に設けてもよい。
【００８２】
その場合は、開口部の位置５ｃ、５ｄに応じて、開口部３ｃ、３ｄの位置及び、マイク３２とスピーカー３３の位置も変化する。
【００８３】
カメラ装置１の下面に開口部５ｃ、５ｄを設ける場合は、デックカバー５を下部筐体４の下面に取り付けてもよい。開口部３ｃ、３ｄを下部筐体に設けてもよい。
【００８４】
また、マイク３２とスピーカー３３とを、電池収容ボックス３０の下面に取り付けてもよい。
【００８５】
カメラ装置１の右側面あるいは左側面に開口部５ｃ、５ｄを設ける場合は、デックカバー５を筐体２の右側面あるいは左側面に取り付けてもよい。
【００８６】
また、開口部３ｃ、３ｄを設けずに、開口部５ｃから入ってきた音を、直接、マイク３２で集音してもよい。スピーカー３３から出力した音を、直接、開口部５ｄから出力してもよい。
【００８７】
なお、カメラ装置１の右側面あるいは左側面に開口部５ｃを設けて、ステレオ集音を行う場合は、２つの開口部５ｃ、５ｃが、上下方向に並んで配置される。スピーカー３３の出力用の開口部５ｄが、２つの開口部５ｃ、５ｃの間に配置されて、開口部５ｃ、５ｄが上下方向に並んで配置されていてもよい。２つの開口部３ｃの配置関係及び開口部３ｃと開口部３ｄとの配置関係、また、２つのマイク３２の配置関係及びマイク３２とスピーカー３３との配置関係も同様である。
【００８８】
なお、本実施形態において、電池収納ボックス３０と、マイク取り付け部３０ｃと、スピーカー取り付け部３０ｄとは、樹脂で一体的に成形されていたが、マイク取り付け部３０ｃ及びスピーカー取り付け部３０ｄと、電池収納ボックス３０とは別に設けてもよい。
【００８９】
通信基板１９を電池収納ボックス３０の上面に配設したが、上部筐体３に取り付けてもよい。
【００９０】
また、配線固定部３０ｆを、電池収容ボックス３０の左側面に設けたが、右側面に設けてもよい。
【００９１】
操作ボタン７の数も本実施形態に限られず、さらに多くても少なくてもよい。
【００９２】
なお、本実施形態に係るカメラ装置は、自転車やバイクやドローン等に装着される用途に限られず、その他のデジタルカメラに用いてもよい。
【産業上の利用可能性】
【００９３】
本開示は、カメラ装置の筐体の内側に向かう段差部の、移動方向に対して交わる方向に配置された縦壁に、集音用の開口部を設けることで、風切り音の集音を防止できるため、サイクルレコーダ等の、移動体に装着するカメラ装置に適用する上で、有用である。
【符号の説明】
【００９４】
１      カメラ装置
２      筐体
３      上部筐体
３ｃ    集音用開口部
３ｄ    スピーカー出力用開口部
４      下部筐体
５      デックカバー
５ａ    段差部
５ｂ    縦壁
５ｃ    集音用開口部
５ｄ    スピーカー出力用開口部
３０    電池収納ボックス
３０ｃ  マイク取り付け部
３０ｄ  スピーカー取り付け部
３１    金属板体
３２    マイク
３３    スピーカー
【図１】
2018026666.tif 000003
【図２】
2018026666.tif 000004
【図３】
2018026666.tif 000005
【図４】
2018026666.tif 000006
【図５】
2018026666.tif 000007
【図６】
2018026666.tif 000008
【図７】
2018026666.tif 000009
【図８】
2018026666.tif 000010
【図９】
2018026666.tif 000011
【図１０】
2018026666.tif 000012